(57)【要約】      （修正有）【課題】Ｄ２Ｄ通信をサポートする移動通信システムにおいて、干渉を回避し無線リソースの利用効率を高めるための方法を備えるユーザ端末を提供する。【解決手段】ユーザ端末が在圏するセルを管理するｅＮＢ２００は、自セル内の全ＵＥ１００に共通に適用される報知制御信号と、セル内のＵＥ１００に個別に適用される個別制御信号と、を送信する。ＵＥ１００は、ｅＮＢ２００から、報知制御信号及び個別制御信号を受信する。報知制御信号は、複数のＤ２Ｄリソース情報を含む。複数のＤ２Ｄリソース情報のそれぞれは、Ｄ２Ｄ通信に使用可能な無線リソースを示す。個別制御信号は、複数のＤ２Ｄリソース情報のうち特定のＤ２Ｄリソース情報が示す無線リソースの使用を指示するための指示情報を含む。【選択図】図８
2018139430.tif 000002
【特許請求の範囲】
【請求項１】
直接的な端末間通信であるＤ２Ｄ通信をサポートする移動通信システムにおいて用いられるユーザ端末であって、
前記ユーザ端末が在圏するセルを管理する基地局から、前記セル内の全ユーザ端末に共通に適用される報知制御信号と、前記セル内のユーザ端末に個別に適用される個別制御信号と、を受信する受信部を備え、
前記報知制御信号は、複数のＤ２Ｄリソース情報を含み、
前記複数のＤ２Ｄリソース情報のそれぞれは、前記Ｄ２Ｄ通信に使用可能な無線リソースを示し、
前記個別制御信号は、前記複数のＤ２Ｄリソース情報のうち特定のＤ２Ｄリソース情報が示す無線リソースの使用を指示するための指示情報を含むことを特徴とするユーザ端末。
【発明の詳細な説明】
【技術分野】
【０００１】
本発明は、Ｄ２Ｄ通信をサポートする移動通信システムにおいて用いられる基地局、ユーザ端末、及びプロセッサに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）通信の導入が検討されている（非特許文献１参照）。
【０００３】
Ｄ２Ｄ通信では、近接する複数のユーザ端末がネットワークを介さずに直接的な端末間通信を行う。一方、移動通信システムの通常の通信であるセルラ通信では、ユーザ端末がネットワークを介して通信を行う。
【０００４】
Ｄ２Ｄ通信は、近接するユーザ端末間で低送信電力の無線通信を行うことができるため、セルラ通信に比べて、ユーザ端末の消費電力及びネットワークの負荷を削減できる。
【先行技術文献】
【非特許文献】
【０００５】
【非特許文献１】３ＧＰＰ技術報告書  「ＴＲ  ２２．８０３  Ｖ１２．１．０」  ２０１３年３月
【発明の概要】
【０００６】
無線リソースの利用効率を高めるために、Ｄ２Ｄ通信に使用可能な無線リソースの少なくとも一部は、セルラ通信に使用可能な無線リソースと重複して確保されることが想定される。
【０００７】
従って、Ｄ２Ｄ通信をサポートする移動通信システムにおいては、セルラ通信とＤ２Ｄ通信との間で干渉が生じる問題がある。一方で、セルラ通信とＤ２Ｄ通信との間で生じる干渉を回避するための複雑な干渉制御を導入すると、干渉制御に起因して処理負荷が増大してしまう。
【０００８】
そこで、本発明は、複雑な干渉制御を導入することなく、セルラ通信とＤ２Ｄ通信との間で生じる干渉を回避可能とするユーザ端末、基地局、及びプロセッサを提供することを目的とする。
【課題を解決するための手段】
【０００９】
第１の特徴に係るユーザ端末は、直接的な端末間通信であるＤ２Ｄ通信をサポートする移動通信システムにおいて用いられる。前記ユーザ端末は、前記ユーザ端末が在圏するセルを管理する基地局から、前記セル内の全ユーザ端末に共通に適用される報知制御信号と、前記セル内のユーザ端末に個別に適用される個別制御信号と、を受信する受信部を備える。前記報知制御信号は、複数のＤ２Ｄリソース情報を含む。前記複数のＤ２Ｄリソース情報のそれぞれは、前記Ｄ２Ｄ通信に使用可能な無線リソースを示す。前記個別制御信号は、前記複数のＤ２Ｄリソース情報のうち特定のＤ２Ｄリソース情報が示す無線リソースの使用を指示するための指示情報を含む。
【００１０】
第２の特徴に係る基地局は、直接的な端末間通信であるＤ２Ｄ通信をサポートする移動通信システムにおいて、セルを管理する。前記基地局は、前記セル内の全ユーザ端末に共通に適用される報知制御信号と、前記セル内のユーザ端末に個別に適用される個別制御信号と、を送信する送信部を備える。前記報知制御信号は、複数のＤ２Ｄリソース情報を含む。前記複数のＤ２Ｄリソース情報のそれぞれは、前記Ｄ２Ｄ通信に使用可能な無線リソースを示す。前記個別制御信号は、前記複数のＤ２Ｄリソース情報のうち特定のＤ２Ｄリソース情報が示す無線リソースの使用を指示するための指示情報を含む。
【００１１】
第３の特徴に係るプロセッサは、直接的な端末間通信であるＤ２Ｄ通信をサポートする移動通信システムにおいて用いられるユーザ端末に備えられる。前記プロセッサは、前記ユーザ端末が在圏するセルを管理する基地局から、前記セル内の全ユーザ端末に共通に適用される報知制御信号と、前記セル内のユーザ端末に個別に適用される個別制御信号と、を受信する処理を実行する。前記報知制御信号は、複数のＤ２Ｄリソース情報を含む。前記複数のＤ２Ｄリソース情報のそれぞれは、前記Ｄ２Ｄ通信に使用可能な無線リソースを示す。前記個別制御信号は、前記複数のＤ２Ｄリソース情報のうち特定のＤ２Ｄリソース情報が示す無線リソースの使用を指示するための指示情報を含む。
【００１２】
本発明によれば、複雑な干渉制御を導入することなく、セルラ通信とＤ２Ｄ通信との間で生じる干渉を回避可能とするユーザ端末、基地局、及びプロセッサを提供できる。
【図面の簡単な説明】
【００１３】
【図１】図１は、第１及び第２実施形態に係るＬＴＥシステムの構成図である。
【図２】図２は、第１及び第２実施形態に係るＵＥのブロック図である。
【図３】図３は、第１及び第２実施形態に係るｅＮＢのブロック図である。
【図４】図４は、第１及び第２実施形態に係る無線インターフェイスのプロトコルスタック図である。
【図５】図５は、第１及び第２実施形態に係る無線フレームの構成図である。
【図６】図６は、第１及び第２実施形態に係るＤ２Ｄ通信を説明するための図である。
【図７】図７は、第１及び第２実施形態に係る動作環境を説明するための図である。
【図８】図８は、第１及び第２実施形態に係る報知制御信号の具体例を説明するための図である。
【図９】図９は、第１実施形態に係る報知制御信号の具体例を説明するための図である。
【図１０】図１０は、第１及び第２実施形態に係る個別制御信号の具体例を説明するための図である。
【図１１】図１１は、第２実施形態に係る報知制御信号の具体例を説明するための図である。
【発明を実施するための形態】
【００１４】
［第１実施形態の概要］
第１及び第２実施形態に係るユーザ端末は、直接的な端末間通信であるＤ２Ｄ通信をサポートする移動通信システムにおいて用いられる。前記ユーザ端末は、前記ユーザ端末が在圏するセルを管理する基地局から、前記セル内の全ユーザ端末に共通に適用される報知制御信号と、前記セル内のユーザ端末に個別に適用される個別制御信号と、を受信する受信部を備える。前記報知制御信号は、複数のＤ２Ｄリソース情報を含む。前記複数のＤ２Ｄリソース情報のそれぞれは、前記Ｄ２Ｄ通信に使用可能な無線リソースを示す。前記個別制御信号は、前記複数のＤ２Ｄリソース情報のうち特定のＤ２Ｄリソース情報が示す無線リソースの使用を指示するための指示情報を含む。
【００１５】
第１実施形態では、前記ユーザ端末は、前記受信部が受信した前記複数のＤ２Ｄリソース情報に基づいて、前記Ｄ２Ｄ通信に使用する無線リソースを選択する制御部をさらに備える。前記制御部は、前記指示情報を含んだ前記個別制御信号を前記受信部が受信した場合には、前記Ｄ２Ｄ通信に使用する無線リソースとして、前記特定のＤ２Ｄリソース情報が示す無線リソースを選択する。
【００１６】
第２実施形態では、前記複数のＤ２Ｄリソース情報のそれぞれは、前記Ｄ２Ｄ通信に使用可能な送信電力パラメータをさらに示す。前記指示情報は、前記複数のＤ２Ｄリソース情報のうち特定のＤ２Ｄリソース情報が示す送信電力パラメータの使用をさらに指示する。
【００１７】
第２実施形態では、前記ユーザ端末は、前記受信部が受信した前記複数のＤ２Ｄリソース情報に基づいて、前記Ｄ２Ｄ通信に使用する無線リソース及び送信電力パラメータを選択する制御部をさらに備える。前記制御部は、前記指示情報を含んだ前記個別制御信号を前記受信部が受信した場合には、前記Ｄ２Ｄ通信に使用する無線リソース及び送信電力パラメータとして、前記特定のＤ２Ｄリソース情報が示す無線リソース及び送信電力パラメータを選択する。
【００１８】
第２実施形態では、前記特定のＤ２Ｄリソース情報が示す送信電力パラメータは、前記特定のＤ２Ｄリソース情報以外のＤ２Ｄリソース情報が示す送信電力パラメータに比べて、前記Ｄ２Ｄ通信における送信電力が低くなるように設定されている。
【００１９】
第２実施形態の変更例では、前記特定のＤ２Ｄリソース情報が示す送信電力パラメータは、前記特定のＤ２Ｄリソース情報以外のＤ２Ｄリソース情報が示す送信電力パラメータに比べて、前記Ｄ２Ｄ通信における送信電力が高くなるように設定されている。
【００２０】
第１及び第２実施形態に係る基地局は、直接的な端末間通信であるＤ２Ｄ通信をサポートする移動通信システムにおいて、セルを管理する。前記基地局は、前記セル内の全ユーザ端末に共通に適用される報知制御信号と、前記セル内のユーザ端末に個別に適用される個別制御信号と、を送信する送信部を備える。前記報知制御信号は、複数のＤ２Ｄリソース情報を含む。前記複数のＤ２Ｄリソース情報のそれぞれは、前記Ｄ２Ｄ通信に使用可能な無線リソースを示す。前記個別制御信号は、前記複数のＤ２Ｄリソース情報のうち特定のＤ２Ｄリソース情報が示す無線リソースの使用を指示するための指示情報を含む。
【００２１】
第１実施形態では、前記基地局は、前記セル内で前記Ｄ２Ｄ通信を行うユーザ端末であって、かつセルラ通信へ大きな干渉を与えるユーザ端末を判定する制御部をさらに備える。前記送信部は、前記制御部によって判定されたユーザ端末に対して、前記指示情報を含んだ前記個別制御信号を送信する。
【００２２】
第２実施形態では、前記複数のＤ２Ｄリソース情報のそれぞれは、前記Ｄ２Ｄ通信に使用可能な送信電力パラメータをさらに示す。前記指示情報は、前記複数のＤ２Ｄリソース情報のうち特定のＤ２Ｄリソース情報が示す送信電力パラメータの使用をさらに指示する。
【００２３】
第２実施形態では、前記基地局は、前記セル内で前記Ｄ２Ｄ通信を行うユーザ端末であって、かつセルラ通信へ大きな干渉を与えるユーザ端末を判定する制御部をさらに備える。前記送信部は、前記制御部によって判定されたユーザ端末に対して、前記指示情報を含んだ前記個別制御信号を送信する。
【００２４】
第２実施形態では、前記特定のＤ２Ｄリソース情報が示す送信電力パラメータは、前記特定のＤ２Ｄリソース情報以外のＤ２Ｄリソース情報が示す送信電力パラメータに比べて、前記Ｄ２Ｄ通信における送信電力が低くなるように設定されている。
【００２５】
第２実施形態の変更例では、前記セル内で前記Ｄ２Ｄ通信を行うユーザ端末であって、かつセルラ通信へ大きな干渉を与えないユーザ端末を判定する制御部をさらに備える。前記送信部は、前記制御部によって判定されたユーザ端末に対して、前記指示情報を含んだ前記個別制御信号を送信する。
【００２６】
第２実施形態の変更例では、前記特定のＤ２Ｄリソース情報が示す送信電力パラメータは、前記特定のＤ２Ｄリソース情報以外のＤ２Ｄリソース情報が示す送信電力パラメータに比べて、前記Ｄ２Ｄ通信における送信電力が高くなるように設定されている。
【００２７】
第１及び第２実施形態に係るプロセッサは、直接的な端末間通信であるＤ２Ｄ通信をサポートする移動通信システムにおいて用いられるユーザ端末に備えられる。前記プロセッサは、前記ユーザ端末が在圏するセルを管理する基地局から、前記セル内の全ユーザ端末に共通に適用される報知制御信号と、前記セル内のユーザ端末に個別に適用される個別制御信号と、を受信する処理を実行する。前記報知制御信号は、複数のＤ２Ｄリソース情報を含む。前記複数のＤ２Ｄリソース情報のそれぞれは、前記Ｄ２Ｄ通信に使用可能な無線リソースを示す。前記個別制御信号は、前記複数のＤ２Ｄリソース情報のうち特定のＤ２Ｄリソース情報が示す無線リソースの使用を指示するための指示情報を含む。
【００２８】
第２実施形態では、前記複数のＤ２Ｄリソース情報のそれぞれは、前記Ｄ２Ｄ通信に使用可能な送信電力パラメータをさらに示す。前記指示情報は、前記複数のＤ２Ｄリソース情報のうち特定のＤ２Ｄリソース情報が示す送信電力パラメータの使用をさらに指示する。
【００２９】
［第１実施形態］
以下において、本発明をＬＴＥシステムに適用する場合の実施形態を説明する。
【００３０】
（システム構成）
図１は、第１実施形態に係るＬＴＥシステムの構成図である。図１に示すように、第１実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００３１】
ＵＥ１００は、ユーザ端末に相当する。ＵＥ１００は、移動型の通信装置であり、接続先のセル（サービングセル）との無線通信を行う。ＵＥ１００の構成については後述する。
【００３２】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００３３】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００３４】
ＥＰＣ２０は、コアネットワークに相当する。Ｅ−ＵＴＲＡＮ１０及びＥＰＣ２０によりＬＴＥシステムのネットワークが構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００３５】
図２は、ＵＥ１００のブロック図である。図２に示すように、ＵＥ１００は、アンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）を制御部を構成するプロセッサ１６０’としてもよい。
【００３６】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００３７】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００３８】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３９】
図３は、ｅＮＢ２００のブロック図である。図３に示すように、ｅＮＢ２００は、アンテナ２０１、無線送受信機２１０、ネットワークインターフェイス２２０、メモリ２３０、及びプロセッサ２４０を備える。メモリ２３０及びプロセッサ２４０は、制御部を構成する。なお、メモリ２３０をプロセッサ２４０と一体化し、このセット（すなわち、チップセット）を制御部を構成するプロセッサとしてもよい。
【００４０】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００４１】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４２】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４３】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉａ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４４】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００４５】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）及びＵＥ１００への割当リソースブロックを決定するスケジューラを含む。
【００４６】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００４７】
ＰＤＣＰ層は、ヘッダ圧縮・伸張、及び暗号化・復号化を行う。
【００４８】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００は接続状態（ＲＲＣ接続状態）であり、そうでない場合、ＵＥ１００はアイドル状態（ＲＲＣアイドル状態）である。
【００４９】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００５０】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５１】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。
【００５２】
ＵＥ１００に割り当てられる無線リソースのうち、周波数リソースはリソースブロックにより構成され、時間リソースはサブフレーム（又はスロット）により構成される。
【００５３】
ＤＬにおいて、各サブフレームの先頭数シンボルの区間は、主に制御信号を伝送するための物理下りリンク制御チャネル（ＰＤＣＣＨ）として使用される領域である。また、各サブフレームの残りの部分は、主にユーザデータを伝送するための物理下りリンク共有チャネル（ＰＤＳＣＨ）として使用できる領域である。
【００５４】
ＵＬにおいて、各サブフレームにおける周波数方向の両端部は、主に制御信号を伝送するための物理上りリンク制御チャネル（ＰＵＣＣＨ）として使用される領域である。各サブフレームにおける残りの部分は、主にユーザデータを伝送するための物理上りリンク共有チャネル（ＰＵＳＣＨ）として使用できる領域である。
【００５５】
（第１実施形態に係る動作）
（１）Ｄ２Ｄ通信
第１実施形態に係るＬＴＥシステムは、直接的な端末間通信（ＵＥ間通信）であるＤ２Ｄ通信をサポートする。ここでは、Ｄ２Ｄ通信を、ＬＴＥシステムの通常の通信であるセルラ通信と比較して説明する。セルラ通信は、データパスがネットワーク（Ｅ−ＵＴＲＡＮ１０、ＥＰＣ２０）を経由する通信モードである。データパスとは、ユーザデータの通信経路である。これに対し、Ｄ２Ｄ通信は、ＵＥ間に設定されるデータパスがネットワークを経由しない通信モードである。
【００５６】
図６は、Ｄ２Ｄ通信を説明するための図である。図６に示すように、Ｄ２Ｄ通信は、データパスがｅＮＢ２００を経由しない。相互に近接するＵＥ１００−１及びＵＥ１００−２は、ｅＮＢ２００のセルにおいて、低送信電力で直接的に無線通信を行う。このように、近接するＵＥ１００−１及びＵＥ１００−２が低送信電力で直接的に無線通信を行うことにより、セルラ通信に比べて、ＵＥ１００の消費電力を削減し、かつ、隣接セルへの干渉を低減できる。
【００５７】
（２）動作概要
図７は、第１実施形態に係る動作環境を説明するための図である。
【００５８】
図７に示すように、ＵＥ１００−１乃至ＵＥ１００−３は、ｅＮＢ２００が管理するセルに在圏している。ここで「在圏」とは、ＵＥ１００がアイドル状態であるか接続状態であるかを問わない。但し、第１実施形態では、ｅＮＢ２００が管理するセルにおいてＵＥ１００−１乃至ＵＥ１００−３が接続状態であるケースを想定する。
【００５９】
ＵＥ１００−１及びＵＥ１００−２は、Ｄ２Ｄ通信を行っている。ＵＥ１００−１及びＵＥ１００−２は、ユーザデータを相互に送受信し、制御信号をｅＮＢ２００と送受信する。これに対し、ＵＥ１００−３は、セルラ通信を行っている。ＵＥ１００−３は、ユーザデータ及び制御信号をｅＮＢ２００と送受信する。
【００６０】
第１実施形態では、無線リソースの利用効率を高めるために、Ｄ２Ｄ通信に使用可能な無線リソースの少なくとも一部は、セルラ通信に使用可能な無線リソースと重複して確保される。例えば、Ｄ２Ｄ通信に使用可能な無線リソースは、セルラ通信の上りリンクに使用可能な無線リソース（上りリンク無線リソース）の少なくとも一部である。或いは、Ｄ２Ｄ通信に使用可能な無線リソースは、セルラ通信の下りリンクに使用可能な無線リソース（下りリンク無線リソース）の少なくとも一部である。
【００６１】
第１実施形態では、以下の動作により、セルラ通信とＤ２Ｄ通信との間の干渉を回避可能とする。第１実施形態に係るｅＮＢ２００は、自セル内の全ＵＥ１００に共通に適用される報知制御信号と、セル内のＵＥ１００に個別に適用される個別制御信号と、を送信する。報知制御信号は、例えばシステム情報ブロック（ＳＩＢ）である。個別制御信号は、例えばＲＲＣメッセージである。ＵＥ１００は、ｅＮＢ２００から、報知制御信号及び個別制御信号を受信する。
【００６２】
第１実施形態では、報知制御信号は、複数のＤ２Ｄリソース情報を含む。複数のＤ２Ｄリソース情報のそれぞれは、Ｄ２Ｄ通信に使用可能な無線リソースを示す。これにより、Ｄ２Ｄ通信を行うＵＥ１００（以下、「Ｄ２Ｄ  ＵＥ」という。）は、報知制御信号に含まれる複数のＤ２Ｄリソース情報に基づいて、Ｄ２Ｄ通信に使用可能な無線リソースの範囲内で自律的にＤ２Ｄ通信を行うことができる。よって、ｅＮＢ２００はＤ２Ｄ通信における動的なスケジューリングを省略できるため、処理負荷及びオーバーヘッドを削減できる。
【００６３】
第１実施形態では、個別制御信号は、複数のＤ２Ｄリソース情報のうち特定のＤ２Ｄリソース情報が示す無線リソース（以下、「特定無線リソース」という。）の使用を指示するための指示情報を含む。これにより、例えばセルラ通信との干渉が大きいＤ２Ｄ  ＵＥに対して特定無線リソースを使用させて、セルラ通信とＤ２Ｄ通信との間の大きな干渉を特定無線リソースに集約させることができる。よって、特定無線リソース以外の無線リソースをセルラ通信において安定して運用できる。
【００６４】
第１実施形態では、Ｄ２Ｄ  ＵＥは、報知制御信号に含まれる複数のＤ２Ｄリソース情報に基づいて、Ｄ２Ｄ通信に使用する無線リソースを選択する。Ｄ２Ｄ  ＵＥは、複数のＤ２Ｄリソース情報のそれぞれが示す無線リソースの中から、Ｄ２Ｄ通信に使用する無線リソースを選択する。或いは、Ｄ２Ｄ  ＵＥは、特定のＤ２Ｄリソース情報以外のＤ２Ｄリソース情報が示す無線リソースの中から、Ｄ２Ｄ通信に使用する無線リソースを選択してもよい。但し、Ｄ２Ｄ  ＵＥは、指示情報を含んだ個別制御信号を受信した場合には、Ｄ２Ｄ通信に使用する無線リソースが特定無線リソースに限定される。
【００６５】
第１実施形態では、ｅＮＢ２００は、自セル内のＤ２Ｄ  ＵＥの中から、セルラ通信へ大きな干渉を与えるＤ２Ｄ  ＵＥ（以下、「与干渉Ｄ２Ｄ  ＵＥ」という）を判定する。ここで「大きな干渉」とは、例えばセルラ通信の通信品質が所要の品質を満たせなくなる程度の干渉を意味する。ｅＮＢ２００は、セルラＵＥからの報告に基づいて与干渉Ｄ２Ｄ  ＵＥを判定する。或いは、ｅＮＢ２００は、Ｄ２Ｄ  ＵＥから受信する参照信号に基づいて与干渉Ｄ２Ｄ  ＵＥを判定してもよい。ｅＮＢ２００は、与干渉Ｄ２Ｄ  ＵＥに対して、指示情報を含んだ個別制御信号を送信する。
【００６６】
（３）具体例
次に、第１実施形態に係る動作について具体例を挙げて説明する。図８及び図９は、報知制御信号の具体例を説明するための図である。図８において、ＵＥ１００はＤ２Ｄ  ＵＥである。
【００６７】
図８に示すように、ステップＳ１１において、ｅＮＢ２００は、複数のＤ２Ｄリソース情報を含んだＳＩＢメッセージ（報知制御信号）を送信する。ＵＥ１００は、複数のＤ２Ｄリソース情報を含んだＳＩＢメッセージを受信する。
【００６８】
図９に示すように、ＳＩＢメッセージは、複数のＤ２Ｄリソース情報として、「ＰｒｏＳｅＲｅｓｏｕｒｃｅＩｎｆｏ」及び「ＰｒｏＳｅＲｅｓｏｕｒｃｅＩｎｆｏ２」を含む。
【００６９】
「ＰｒｏＳｅＲｅｓｏｕｒｃｅＩｎｆｏ」は、Ｄ２Ｄ通信に使用可能な無線リソースを示す情報である。「ＰｒｏＳｅＲｅｓｏｕｒｃｅＩｎｆｏ」は、Ｄ２Ｄ通信に使用可能なリソースブロック番号（リソースブロックＩＤ）及びサブフレーム番号のそれぞれのリストを含む。
【００７０】
「ＰｒｏＳｅＲｅｓｏｕｒｃｅＩｎｆｏ２」は、Ｄ２Ｄ通信に使用可能な無線リソースのうち、特定無線リソースを示す情報である。「ＰｒｏＳｅＲｅｓｏｕｒｃｅＩｎｆｏ２」は、特定無線リソースに対応するリソースブロック番号（リソースブロックＩＤ）及びサブフレーム番号のそれぞれのリストを含む。第１実施形態では、「ＰｒｏＳｅＲｅｓｏｕｒｃｅＩｎｆｏ２」が示す無線リソース（特定無線リソース）は、「ＰｒｏＳｅＲｅｓｏｕｒｃｅＩｎｆｏ」が示す無線リソースとは重複しない。
【００７１】
ＵＥ１００は、ＳＩＢメッセージに含まれる「ＰｒｏＳｅＲｅｓｏｕｒｃｅＩｎｆｏ」及び「ＰｒｏＳｅＲｅｓｏｕｒｃｅＩｎｆｏ２」に基づいて、Ｄ２Ｄ通信に使用する無線リソースを選択する。ＵＥ１００は、「ＰｒｏＳｅＲｅｓｏｕｒｃｅＩｎｆｏ」及び「ＰｒｏＳｅＲｅｓｏｕｒｃｅＩｎｆｏ２」のそれぞれが示す無線リソースの中から、Ｄ２Ｄ通信に使用する無線リソースを選択する。或いは、ＵＥ１００は、「ＰｒｏＳｅＲｅｓｏｕｒｃｅＩｎｆｏ」が示す無線リソースの中から、Ｄ２Ｄ通信に使用する無線リソースを選択してもよい。
【００７２】
図１０は、個別制御信号の具体例を説明するための図である。図１０において、ＵＥ１００はＤ２Ｄ  ＵＥである。
【００７３】
図１０に示すように、ステップＳ２１において、ｅＮＢ２００は、「ＰｒｏＳｅＲｅｓｏｕｒｃｅＩｎｆｏ２」が示す無線リソース（特定無線リソース）の使用を指示するための「ＰｒｏＳｅＲｅｓｏｕｒｃｅＩｎｆｏ２指示情報」を含んだＲＲＣメッセージ（個別制御信号）をＵＥ１００に送信する。上述したように、ｅＮＢ２００は、ＵＥ１００が与干渉Ｄ２Ｄ  ＵＥであると判定した場合に、「ＰｒｏＳｅＲｅｓｏｕｒｃｅＩｎｆｏ２指示情報」を含んだＲＲＣメッセージをＵＥ１００に送信する。
【００７４】
ＵＥ１００は、「ＰｒｏＳｅＲｅｓｏｕｒｃｅＩｎｆｏ２指示情報」を含んだＲＲＣメッセージを受信する。ＵＥ１００は、「ＰｒｏＳｅＲｅｓｏｕｒｃｅＩｎｆｏ２指示情報」を含んだＲＲＣメッセージを受信した場合、「ＰｒｏＳｅＲｅｓｏｕｒｃｅＩｎｆｏ２」が示す無線リソース（特定無線リソース）の中から、Ｄ２Ｄ通信に使用する無線リソースを選択する。
【００７５】
（第１実施形態のまとめ）
上述したように、報知制御信号は、複数のＤ２Ｄリソース情報を含む。複数のＤ２Ｄリソース情報のそれぞれは、Ｄ２Ｄ通信に使用可能な無線リソースを示す。これにより、Ｄ２Ｄ  ＵＥは、報知制御信号に含まれる複数のＤ２Ｄリソース情報に基づいて、Ｄ２Ｄ通信に使用可能な無線リソースの範囲内で自律的にＤ２Ｄ通信を行うことができる。よって、ｅＮＢ２００はＤ２Ｄ通信における動的なスケジューリングを省略できるため、処理負荷及びオーバーヘッドを削減できる。
【００７６】
また、個別制御信号は、複数のＤ２Ｄリソース情報のうち特定のＤ２Ｄリソース情報が示す特定無線リソースの使用を指示するための指示情報を含む。これにより、例えばセルラ通信との干渉が大きいＤ２Ｄ  ＵＥに対して特定無線リソースを使用させて、セルラ通信とＤ２Ｄ通信との間の大きな干渉を特定無線リソースに集約させることができる。よって、特定無線リソース以外の無線リソースをセルラ通信において安定して運用できる。
【００７７】
従って、実施形態では、複雑な干渉制御を導入することなく、セルラ通信とＤ２Ｄ通信との間で生じる干渉を回避できる。
【００７８】
［第２実施形態］
次に、第２実施形態について、第１実施形態との相違点を主として説明し、重複する説明を省略する。
【００７９】
（１）動作概要
第１実施形態では、複数のＤ２Ｄリソース情報のそれぞれは、Ｄ２Ｄ通信に使用可能な無線リソースを示していたが、第２実施形態では、複数のＤ２Ｄリソース情報のそれぞれは、無線リソースだけでなく、送信電力パラメータも示す。これにより、Ｄ２Ｄ通信を行うＤ２Ｄ  ＵＥは、報知制御信号に含まれる複数のＤ２Ｄリソース情報に基づいて、Ｄ２Ｄ通信に使用可能な無線リソース及び送信電力パラメータの範囲内で自律的にＤ２Ｄ通信を行うことができる。
【００８０】
また、第２実施形態では、個別制御信号は、特定無線リソース、及び、複数のＤ２Ｄリソース情報のうち特定のＤ２Ｄリソース情報が示す送信電力パラメータ（以下、「特定送信電力パラメータ」という。）の使用を指示するための指示情報を含む。
【００８１】
以下において、特定のＤ２Ｄリソース情報が示す送信電力パラメータ（特定送信電力パラメータ）は、特定のＤ２Ｄリソース情報以外のＤ２Ｄリソース情報が示す送信電力パラメータに比べて、Ｄ２Ｄ通信における送信電力が低くなるように設定されている。これにより、特定無線リソースにおけるＤ２Ｄ通信の送信電力を低くすることができるため、セルラ通信とＤ２Ｄ通信との間の大きな干渉を特定無線リソースに集約した上で、かかる干渉を抑圧することができる。
【００８２】
第２実施形態では、Ｄ２Ｄ  ＵＥは、報知制御信号に含まれる複数のＤ２Ｄリソース情報に基づいて、Ｄ２Ｄ通信に使用する無線リソース及び送信電力パラメータを選択する。Ｄ２Ｄ  ＵＥは、複数のＤ２Ｄリソース情報のそれぞれが示す無線リソース及び送信電力パラメータの中から、Ｄ２Ｄ通信に使用する無線リソース及び送信電力パラメータを選択する。或いは、Ｄ２Ｄ  ＵＥは、特定のＤ２Ｄリソース情報以外のＤ２Ｄリソース情報が示す無線リソース及び送信電力パラメータの中から、Ｄ２Ｄ通信に使用する無線リソースを選択してもよい。但し、Ｄ２Ｄ  ＵＥは、指示情報を含んだ個別制御信号を受信した場合には、Ｄ２Ｄ通信に使用する無線リソースが特定無線リソースに限定されるとともに、Ｄ２Ｄ通信に使用する送信電力パラメータが特定送信電力パラメータに限定される。
【００８３】
（２）具体例
次に、第２実施形態に係る動作について具体例を挙げて説明する。図１１は、報知制御信号の具体例を説明するための図である。
【００８４】
図１１に示すように、「ＰｒｏＳｅＲｅｓｏｕｒｃｅＩｎｆｏ」は、Ｄ２Ｄ通信に使用可能な無線リソース及び送信電力パラメータを示す情報である。「ＰｒｏＳｅＲｅｓｏｕｒｃｅＩｎｆｏ」は、Ｄ２Ｄ通信に使用可能なリソースブロック番号（リソースブロックＩＤ）及びサブフレーム番号のそれぞれのリストと、送信電力パラメータである「ＴＰＣ  ｐａｒａｍ」と、を含む。「ＴＰＣ  ｐａｒａｍ」は、Ｄ２Ｄ通信においてベースとなる送信電力を示す「ＰＯ＿Ｎｏｍｉｎａｌ＿ＰｒｏＳｅ」と、パスロス補償係数を示す「α」と、セルへの与干渉制限を示す「ＩＭａｘ」と、のうち少なくとも１つを含む。Ｄ２Ｄ通信の送信電力は、これらの送信電力パラメータを使用して、図８に示す送信電力算出式により定められる。
【００８５】
「ＰｒｏＳｅＲｅｓｏｕｒｃｅＩｎｆｏ２」は、特定無線リソース及び特定送信電力パラメータを示す情報である。「ＰｒｏＳｅＲｅｓｏｕｒｃｅＩｎｆｏ２」は、「ＴＰＣ  ｐａｒａｍ」（特定送信電力パラメータ）を含む。「ＰｒｏＳｅＲｅｓｏｕｒｃｅＩｎｆｏ２」に含まれる「ＴＰＣ  ｐａｒａｍ」は、「ＰＯ＿Ｎｏｍｉｎａｌ＿ＰｒｏＳｅ」、「α」、及び「ＩＭａｘ」のうち少なくとも１つを含む。「ＰｒｏＳｅＲｅｓｏｕｒｃｅＩｎｆｏ２」に含まれる「ＴＰＣ  ｐａｒａｍ」は、「ＰｒｏＳｅＲｅｓｏｕｒｃｅＩｎｆｏ」に含まれる「ＴＰＣ  ｐａｒａｍ」に比べて、Ｄ２Ｄ通信における送信電力が低くなるように設定されている。例えば、「ＰｒｏＳｅＲｅｓｏｕｒｃｅＩｎｆｏ２」に含まれる「ＰＯ＿Ｎｏｍｉｎａｌ＿ＰｒｏＳｅ」は、「ＰｒｏＳｅＲｅｓｏｕｒｃｅＩｎｆｏ」に含まれる「ＰＯ＿Ｎｏｍｉｎａｌ＿ＰｒｏＳｅ」よりも低い値である。或いは、「ＰｒｏＳｅＲｅｓｏｕｒｃｅＩｎｆｏ２」に含まれる「ＩＭａｘ」は、「ＰｒｏＳｅＲｅｓｏｕｒｃｅＩｎｆｏ」に含まれる「ＩＭａｘ」よりも低い値である。
【００８６】
ＵＥ１００は、ＳＩＢメッセージに含まれる「ＰｒｏＳｅＲｅｓｏｕｒｃｅＩｎｆｏ」及び「ＰｒｏＳｅＲｅｓｏｕｒｃｅＩｎｆｏ２」に基づいて、Ｄ２Ｄ通信に使用する無線リソース及び送信電力パラメータを選択する。ＵＥ１００は、「ＰｒｏＳｅＲｅｓｏｕｒｃｅＩｎｆｏ」及び「ＰｒｏＳｅＲｅｓｏｕｒｃｅＩｎｆｏ２」のそれぞれが示す無線リソース及び送信電力パラメータの中から、Ｄ２Ｄ通信に使用する無線リソース及び送信電力パラメータを選択する。或いは、「ＰｒｏＳｅＲｅｓｏｕｒｃｅＩｎｆｏ」及び「ＰｒｏＳｅＲｅｓｏｕｒｃｅＩｎｆｏ２」のうち、Ｄ２Ｄ通信のチャネル状況に応じて通信容量が大きくなる方を選択してもよい。
【００８７】
第２実施形態では、図１０において、ステップＳ２１において、ｅＮＢ２００は、「ＰｒｏＳｅＲｅｓｏｕｒｃｅＩｎｆｏ２」が示す特定無線リソース及び特定送信電力パラメータの使用を指示するための「ＰｒｏＳｅＲｅｓｏｕｒｃｅＩｎｆｏ２指示情報」を含んだＲＲＣメッセージ（個別制御信号）をＵＥ１００に送信する。
【００８８】
ＵＥ１００は、「ＰｒｏＳｅＲｅｓｏｕｒｃｅＩｎｆｏ２指示情報」を含んだＲＲＣメッセージを受信する。ＵＥ１００は、「ＰｒｏＳｅＲｅｓｏｕｒｃｅＩｎｆｏ２指示情報」を含んだＲＲＣメッセージを受信した場合、「ＰｒｏＳｅＲｅｓｏｕｒｃｅＩｎｆｏ２」が示す特定無線リソースの中からＤ２Ｄ通信に使用する無線リソースを選択し、かつ、Ｄ２Ｄ通信に使用する送信電力を特定送信電力パラメータにより決定する。
【００８９】
（第２実施形態のまとめ）
上述したように、報知制御信号は、複数のＤ２Ｄリソース情報を含む。複数のＤ２Ｄリソース情報のそれぞれは、Ｄ２Ｄ通信に使用可能な無線リソース及び送信電力パラメータを示す。これにより、Ｄ２Ｄ  ＵＥは、報知制御信号に含まれる複数のＤ２Ｄリソース情報に基づいて、Ｄ２Ｄ通信に使用可能な無線リソース及び送信電力パラメータの範囲内で自律的にＤ２Ｄ通信を行うことができる。よって、ｅＮＢ２００はＤ２Ｄ通信における動的なスケジューリングを省略できるため、処理負荷及びオーバーヘッドを削減できる。
【００９０】
また、個別制御信号は、複数のＤ２Ｄリソース情報のうち特定のＤ２Ｄリソース情報が示す特定無線リソース及び特定送信電力パラメータの使用を指示するための指示情報を含む。これにより、例えばセルラ通信との干渉が大きいＤ２Ｄ  ＵＥに対して特定無線リソースを使用させて、セルラ通信とＤ２Ｄ通信との間の大きな干渉を特定無線リソースに集約させることができる。よって、特定無線リソース以外の無線リソースをセルラ通信において安定して運用できる。
【００９１】
第１実施形態では、特定送信電力パラメータは、特定のＤ２Ｄリソース情報以外のＤ２Ｄリソース情報が示す送信電力パラメータに比べて、Ｄ２Ｄ通信における送信電力が低くなるように設定されている。これにより、特定無線リソースにおけるＤ２Ｄ通信の送信電力を低くすることができるため、セルラ通信とＤ２Ｄ通信との間の大きな干渉を特定無線リソースに集約した上で、かかる干渉を抑圧することができる。
【００９２】
従って、複雑な干渉制御を導入することなく、セルラ通信とＤ２Ｄ通信との間で生じる干渉を回避できる。
【００９３】
（第２実施形態の変更例）
次に、第２実施形態の変更例について、第２実施形態との相違点を主として説明する。本変更例は、システム構成、動作環境、及びメッセージフォーマットについては、第２実施形態と同様である。
【００９４】
本変更例は、Ｄ２Ｄ  ＵＥは、ＳＩＢメッセージ（報知制御信号）に含まれる複数のＤ２Ｄリソース情報に基づいて、Ｄ２Ｄ通信に使用する無線リソース及び送信電力パラメータを選択する。本変更例では、Ｄ２Ｄ  ＵＥは、特定のＤ２Ｄリソース情報以外のＤ２Ｄリソース情報が示す無線リソース及び送信電力パラメータの中から、Ｄ２Ｄ通信に使用する無線リソースを選択してもよい。但し、Ｄ２Ｄ  ＵＥは、「ＰｒｏＳｅＲｅｓｏｕｒｃｅＩｎｆｏ２指示情報」を含んだＲＲＣメッセージを受信した場合には、Ｄ２Ｄ通信に使用する無線リソースが特定無線リソースに限定されるとともに、Ｄ２Ｄ通信に使用する送信電力パラメータが特定送信電力パラメータに限定される。
【００９５】
本変更例では、特定のＤ２Ｄリソース情報が示す特定送信電力パラメータは、特定のＤ２Ｄリソース情報以外のＤ２Ｄリソース情報が示す送信電力パラメータに比べて、Ｄ２Ｄ通信における送信電力が高くなるように設定されている。例えば、「ＰｒｏＳｅＲｅｓｏｕｒｃｅＩｎｆｏ２」に含まれる「ＰＯ＿Ｎｏｍｉｎａｌ＿ＰｒｏＳｅ」は、「ＰｒｏＳｅＲｅｓｏｕｒｃｅＩｎｆｏ」に含まれる「ＰＯ＿Ｎｏｍｉｎａｌ＿ＰｒｏＳｅ」よりも高い値である。或いは、「ＰｒｏＳｅＲｅｓｏｕｒｃｅＩｎｆｏ２」に含まれる「ＩＭａｘ」は、「ＰｒｏＳｅＲｅｓｏｕｒｃｅＩｎｆｏ」に含まれる「ＩＭａｘ」よりも高い値である。
【００９６】
また、本変更例では、ｅＮＢ２００は、自セル内のＤ２Ｄ  ＵＥの中から、セルラ通信へ大きな干渉を与えないＤ２Ｄ  ＵＥ（以下、「低干渉Ｄ２Ｄ  ＵＥ」という）を判定する。ここで「大きな干渉」とは、例えばセルラ通信の通信品質が所要の品質を満たせなくなる程度の干渉を意味する。ｅＮＢ２００は、セルラＵＥからの報告に基づいて低干渉Ｄ２Ｄ  ＵＥを判定する。或いは、ｅＮＢ２００は、Ｄ２Ｄ  ＵＥから受信する参照信号に基づいて低干渉Ｄ２Ｄ  ＵＥを判定してもよい。ｅＮＢ２００は、低干渉Ｄ２Ｄ  ＵＥに対して、「ＰｒｏＳｅＲｅｓｏｕｒｃｅＩｎｆｏ２指示情報」を含んだＲＲＣメッセージ（個別制御信号）を送信する。
【００９７】
このように、本変更例では、例えばＤ２Ｄ通信の開始初期は特定無線リソース以外の無線リソースをＤ２Ｄ  ＵＥに使用させて、セルラ通信への干渉の度合いを判定する。そして、セルラ通信へ大きな干渉を与えないＤ２Ｄ  ＵＥについては、特定無線リソースに移行させる。特定無線リソース以外の無線リソースは、特定無線リソースに比べて、Ｄ２Ｄ通信における送信電力が低くなるよう設定されているため、セルラ通信に与える干渉を抑圧できる。
【００９８】
［その他の実施形態］
上述した各実施形態では、「ＰｒｏＳｅＲｅｓｏｕｒｃｅＩｎｆｏ２」が示す無線リソース（特定無線リソース）は、「ＰｒｏＳｅＲｅｓｏｕｒｃｅＩｎｆｏ」が示す無線リソースとは重複しなかったが、これに限らず、次の何れかの関係であってもよい。
【００９９】
・「ＰｒｏＳｅＲｅｓｏｕｒｃｅＩｎｆｏ２」が示す無線リソース（特定無線リソース）は、「ＰｒｏＳｅＲｅｓｏｕｒｃｅＩｎｆｏ」が示す無線リソースと重複する。ここで、重複とは、一部重複する場合に限らず、完全一致の場合も含む。
【０１００】
・「ＰｒｏＳｅＲｅｓｏｕｒｃｅＩｎｆｏ２」が示す無線リソース（特定無線リソース）は、「ＰｒｏＳｅＲｅｓｏｕｒｃｅＩｎｆｏ」が示す無線リソースに内包される。
【０１０１】
・「ＰｒｏＳｅＲｅｓｏｕｒｃｅＩｎｆｏ」が示す無線リソースは、「ＰｒｏＳｅＲｅｓｏｕｒｃｅＩｎｆｏ２」が示す無線リソース（特定無線リソース）に内包される。この場合、第１実施形態において、「ＰｒｏＳｅＲｅｓｏｕｒｃｅＩｎｆｏ」が示す無線リソースを使用して、セルラ通信に対して干渉を与えないＤ２Ｄ  ＵＥを「ＰｒｏＳｅＲｅｓｏｕｒｃｅＩｎｆｏ２」が示す無線リソース（特定無線リソース）に移行することが考えられる。
【０１０２】
上述した各実施形態では、個別制御信号がＲＲＣメッセージである一例を説明したが、個別制御信号はＰＤＣＣＨ上で伝送される下りリンク制御信号（ＤＣＩ）であってもよい。
【０１０３】
上述した各実施形態では、複数のＤ２Ｄリソース情報の具体例として「ＰｒｏＳｅＲｅｓｏｕｒｃｅＩｎｆｏ」及び「ＰｒｏＳｅＲｅｓｏｕｒｃｅＩｎｆｏ２」を挙げているが、これらに加えて、「ＰｒｏＳｅＲｅｓｏｕｒｃｅＩｎｆｏ３」、「ＰｒｏＳｅＲｅｓｏｕｒｃｅＩｎｆｏ４」…を規定してもよい。この場合、第２実施形態において、「ＰｒｏＳｅＲｅｓｏｕｒｃｅＩｎｆｏ２」、「ＰｒｏＳｅＲｅｓｏｕｒｃｅＩｎｆｏ３」、「ＰｒｏＳｅＲｅｓｏｕｒｃｅＩｎｆｏ４」…のそれぞれが示す送信電力パラメータは、異なる値であってもよく、「ＰｒｏＳｅＲｅｓｏｕｒｃｅＩｎｆｏ２」と同じ値であってもよい。
【０１０４】
上述した各実施形態では、セルラ通信システムの一例としてＬＴＥシステムを説明したが、ＬＴＥシステムに限定されるものではなく、ＬＴＥシステム以外のシステムに本発明を適用してもよい。
【０１０５】
なお、日本国特許出願第２０１３−１４０６３８号（２０１３年７月４日出願）及び日本国特許出願第２０１３−１４０６４２号（２０１３年７月４日出願）の全内容が、参照により、本願明細書に組み込まれている。
【産業上の利用可能性】
【０１０６】
以上のように、本発明に係るユーザ端末、基地局及びプロセッサは、複雑な干渉制御を導入することなく、セルラ通信とＤ２Ｄ通信との間で生じる干渉を回避可能であるため、移動通信分野において有用である。
【図１】
2018139430.tif 000003
【図２】
2018139430.tif 000004
【図３】
2018139430.tif 000005
【図４】
2018139430.tif 000006
【図５】
2018139430.tif 000007
【図６】
2018139430.tif 000008
【図７】
2018139430.tif 000009
【図８】
2018139430.tif 000010
【図９】
2018139430.tif 000011
【図１０】
2018139430.tif 000012
【図１１】
2018139430.tif 000013
【手続補正書】
【提出日】平成30年5月15日(2018.5.15)
【手続補正１】
【補正対象書類名】特許請求の範囲
【補正対象項目名】全文
【補正方法】変更
【補正の内容】
【特許請求の範囲】
【請求項１】
移動通信システムであって、
基地局と、
ユーザ端末と、を備え、
前記基地局は、システム情報ブロック（ＳＩＢ）メッセージを送信し、
前記ユーザ端末は、前記ＳＩＢメッセージを受信し、
前記ＳＩＢメッセージは、端末間での直接的な通信である直接通信に使用可能である複数の情報セットを含み、
前記複数の情報セットを構成する各情報セットは、リソース情報と、当該リソース情報に対応付けられた送信電力情報と、を含み、
前記リソース情報は、前記直接通信のために用いられるリソースブロックの情報とサブフレームの情報とを含み、
前記送信電力情報は、当該送信電力情報に対応付けられたリソース情報を用いた前記直接通信のために用いられる送信電力を示すことを特徴とする移動通信システム。
【請求項２】
ユーザ端末であって、
基地局から、システム情報ブロック（ＳＩＢ）メッセージを受信する受信部を備え、
前記ＳＩＢメッセージは、端末間での直接的な通信である直接通信に使用可能である複数の情報セットを含み、
前記複数の情報セットを構成する各情報セットは、リソース情報と、当該リソース情報に対応付けられた送信電力情報と、を含み、
前記リソース情報は、前記直接通信のために用いられるリソースブロックの情報とサブフレームの情報とを含み、
前記送信電力情報は、当該送信電力情報に対応付けられたリソース情報を用いた前記直接通信のために用いられる送信電力を示すことを特徴とするユーザ端末。
【請求項３】
基地局であって、
システム情報ブロック（ＳＩＢ）メッセージを送信する送信部を備え、
前記ＳＩＢメッセージは、端末間での直接的な通信である直接通信に使用可能である複数の情報セットを含み、
前記複数の情報セットを構成する各情報セットは、リソース情報と、当該リソース情報に対応付けられた送信電力情報と、を含み、
前記リソース情報は、前記直接通信のために用いられるリソースブロックの情報とサブフレームの情報とを含み、
前記送信電力情報は、当該送信電力情報に対応付けられたリソース情報を用いた前記直接通信のために用いられる送信電力を示すことを特徴とする基地局。
【請求項４】
ユーザ端末を制御するためのプロセッサであって、
基地局から、システム情報ブロック（ＳＩＢ）メッセージを受信する処理を実行し、
前記ＳＩＢメッセージは、端末間での直接的な通信である直接通信に使用可能である複数の情報セットを含み、
前記複数の情報セットを構成する各情報セットは、リソース情報と、当該リソース情報に対応付けられた送信電力情報と、を含み、
前記リソース情報は、前記直接通信のために用いられるリソースブロックの情報とサブフレームの情報とを含み、
前記送信電力情報は、当該送信電力情報に対応付けられたリソース情報を用いた前記直接通信のために用いられる送信電力を示すことを特徴とするプロセッサ。